(57)【要約】【課題】よりよい気流通路と放熱効果を提供することにより、灯具の使用寿命と発光の効果を高めることができる。【解決手段】内ケース２には第二開口２２と第二収容室２１が含まれ、内ケース２には他に通孔２４が設けられる。通孔２４は第一収容室１１と第二収容室２１を連通し、内ケース２は第一収容室１１の内に設けられ、第二開口２２と第一開口１２は同じ方向に向くように形成され、そして外カバー１と内ケース２の間には隙間が形成さて一個の気流通路Ａが形成される。ファン３は通孔２４に隣接する場所に設けられ、ファン３には二個の気流流通側が含まれ、二個の気流流通側は気流の吸い込みと吹き出しをすることにより、気流は通孔２４を通過するように形成される。放熱器４の底板４１の一方の面はファン３に面するように形成される。発光部材５は底板４１のもう一方の面に設けられる。【選択図】図１
2011086621.tif 000002
【特許請求の範囲】
【請求項１】
一個の外カバー（１、１’、１”）、一個の内ケース（２、２’）、一個のファン（３、３’）、一個の放熱器（４、４’）および一個の発光部材（５）を有する灯具において、外カバー（１、１’、１”）の一端には一個の第一開口（１２、１２’、１１”）が含まれ、そして第一開口（１２、１２’、１１”）から一個の第一収容室（１１、１１’）が凹むように形成され、内ケース（２、２’）の一端には一個の第二開口（２２、２１’）が含まれ、そして第二開口（２２、２１’）から一個の第二収容室（２１）が凹むように形成され、内ケース（２、２’）は第一収容室（１１、１１’）の内に設けられ、第二開口（２２、２１’）と第一開口（１２、１２’、１１”）は同じ方向に向くように形成され、そして外カバー（１、１’、１”）と内ケース（２、２’）の間には隙間が形成されることにより、第一収容室（１１、１１’）の内において一個の気流通路（Ａ）が形成され、内ケース（２、２’）には他に一個の通孔（２４、２３’）が設けられ、通孔（２４、２３’）は第一収容室（１１、１１’）の内の気流通路（Ａ）および第二収容室（２１）と連通するように形成され、ファン（３、３’）は通孔（２４、２３’）に隣接する場所に設けられ、ファン（３、３’）には二個の気流流通側が含まれ、上記二個の気流流通側は気流の吸い込みと吹き出しをするのに用いられ、そして上記気流は通孔（２４）を通過するように形成され、放熱器（４、４’）には一個の底板（４１、４１’）が含まれ、底板（４１、４１’）の一方の面はファン（３、３’）に面するように形成され、発光部材（５）は底板（４１、４１’）のもう一方の面に設けられることを特徴とする灯具。
【請求項２】
外カバー（１、１’、１”）と内ケース（２、２’）の間には区切り部材（１４）が設けられ、区切り部材（１４）は間隔をもって外カバー（１、１’、１”）と内ケース（２、２’）の間に支持されることにより、気流通路（Ａ）が形成されることを特徴とする請求項１に記載の灯具。
【請求項３】
第二開口（２２、２１’）の内径は第一開口（１２、１２’、１１”）より小さく、第二開口（２２、２１’）と第一開口（１２、１２’、１１”）は位置を合わせるように形成され、そして第二開口（２２、２１’）は第一開口（１２、１２’、１１”）の範囲内に位置するように形成されることを特徴とする請求項１に記載の灯具。
【請求項４】
上記二個の気流流通側のその内の一個は気流通路（Ａ）と連接し、そしてもう一個は第二収容室（２１）と連接するように形成されることを特徴とする請求項１、２または３に記載の灯具。
【請求項５】
放熱器（４、４’）は第二収容室（２１）の内に設けられ、そして放熱器（４、４’）の底板（４１、４１’）はファン（３、３’）が第二収容室（２１）と連接する気流流通側に面するように形成されることを特徴とする請求項４に記載の灯具。
【請求項６】
内ケース（６）には他に複数個の通孔（６４）と一個の導風カバー（６５）が設けられ、導風カバー（６５）は円盤体からなり、導風カバー（６５）にはファン（３、３’）を収容するための組立孔（６５１）が設けられ、導風カバー（６５）の外周縁は内ケース（６）に結合され、そしてそれぞれの通孔（６４）は導風カバー（６５）が被覆することができる範囲内に位置するように形成されることを特徴とする請求項１、２または３に記載の灯具。
【請求項７】
第一開口（１２、１２’、１１”）の周縁から外へ向かって延伸するように一個の第一フランジ（１３、１３’）が含まれ、第二開口（２２、２１’）の周縁から外へ向かって延伸するように一個の第二フランジ（２３、２２’）が含まれ、第一フランジ（１３、１３’）と第二フランジ（２３、２２’）の間には一個の通気口（Ｂ）が形成されることを特徴とする請求項１、２または３に記載の灯具。
【請求項８】
放熱器（４、４’）の底板（４１、４１’）が第二収容室（２１）と連接する気流流通側に面する面には複数個の放熱フィン（４２、４２’）が設けられることを特徴とする請求項１、２または３に記載の灯具。
【請求項９】
発光部材（５）には一個の基板（５１）と複数個の発光体（５２）が含まれ、それぞれの発光体（５２）は基板（５１）のその内の一個の面に設けられ、基板（５１）のもう一個の面は放熱器（４、４’）の底板（４１、４１’）に設けられることを特徴とする請求項１、２または３に記載の灯具。
【請求項１０】
内ケース（２、２’）の第二開口（２２、２１’）には一個のカバー板（２５、２５’）が設けられ、カバー板（２５、２５’）には複数個の貫穿孔（２５１、２５１’）が設けられることを特徴とする請求項１、２または３に記載の灯具。
【請求項１１】
カバー板（２５、２５’）が発光部材（５）に面する表面には阻隔部（２５２’）が設けられ、それぞれの貫穿孔（２５１、２５１’）は阻隔部（２５２’）が囲んだ範囲の外に位置するように形成され、阻隔部（２５２’）は放熱器（４、４’）の底板（４１、４１’）と接触するように形成され、発光部材（５）は阻隔部（２５２’）が囲んだ範囲の内に位置するように形成されることを特徴とする請求項１０に記載の灯具。
【請求項１２】
阻隔部（２５２’）は環状壁からなるように形成されることを特徴とする請求項１１に記載の灯具。
【請求項１３】
それぞれの貫穿孔（２５１、２５１’）はカバー板（２５、２５’）の周辺に位置するように形成されることを特徴とする請求項１１に記載の灯具。
【請求項１４】
第二開口（２１’）の周縁から外へ向かって延伸するように一個の第二フランジ（２２’）が含まれ、第二フランジ（２２’）の外周は第一開口（１１”）の端縁と互いに結合し、そして外カバー（１”）の外表面に第一開口（１１”）に隣接する場所には複数個の通気孔（１２”）が設けられることを特徴とする請求項１、２または３に記載の灯具。
【請求項１５】
第一開口（７２）の周縁から外へ向かって延伸するように一個の第一フランジ（７３）が含まれ、第二開口（８２）の周縁から外へ向かって延伸するように一個の第二フランジ（８３）が含まれ、そして第一フランジ（７３）と第二フランジ（８３）は互いに貼接し、第二フランジ（８３）は第一開口（７２）を封止するように形成されることを特徴とする請求項２または３に記載の灯具。
【請求項１６】
区切り部材（７４）は一個の止め壁からなり、上記止め壁によって気流通路（Ａ）は一個の第一通路（Ａ１）と一個の第二通路（Ａ２）に区画されることを特徴とする請求項１５に記載の灯具。
【請求項１７】
通孔（８４）は第一通路（Ａ１）と第二収容室（８１）を連通し、そして内ケース（８）には他に複数個の貫穿溝（８６）が設けられ、それぞれの貫穿溝（８６）は第二通路（Ａ２）と第二収容室（８１）を連通するように形成されることを特徴とする請求項１６に記載の灯具。
【請求項１８】
第二フランジ（８３）には複数個の第一風孔（８７ａ）と複数個の第二風孔（８７ｂ）が設けられ、それぞれの第一風孔（８７ａ）は第一通路（Ａ１）と連接し、それぞれの第二風孔（８７ｂ）は第二通路（Ａ２）と連接するように形成されることを特徴とする請求項１７に記載の灯具。
【請求項１９】
第二収容室（８１）の内に一個の阻隔板（８８）が設けられ、阻隔板（８８）によって第二収容室（８１）は一個の上収容室（８１ａ）と一個の下収容室（８１ｂ）に区画され、そして通孔（８４）とそれぞれの貫穿溝（８６）は上収容室（８１ａ）と連通するように形成されることを特徴とする請求項１８に記載の灯具。
【請求項２０】
阻隔板（８８）には一個の装着孔（８８１）が含まれ、発光部材（５）は装着孔（８８１）の中に設けられ、そして下収容室（８１ｂ）に面するように形成されることを特徴とする請求項１９に記載の灯具。
【請求項２１】
第二開口（８２）には一個のカバー板（８９）が設けられることを特徴とする請求項２０に記載の灯具。
【発明の詳細な説明】
【技術分野】
【０００１】
本発明は、灯具に関するもので、特に天井板に埋設して室内または室外の照明を提供することができる灯具に係るものである。
【背景技術】
【０００２】
従来の埋込み型の灯具としては、例えば中華民国公告第Ｍ３５９６４４号の「灯具の放熱装置」（特許文献１を参照）を参照すると、従来の灯具には一個の基板、一個の環状放熱座、一個のファンと一個のケース蓋が含まれる。基板には二個の表面が含まれ、その内の一個の表面には複数個の発光部材が設けられ、もう一個の表面は環状放熱座を結合することができ、そして基板の二個の表面の間には複数個の気孔が貫穿される。ファンは環状放熱座の上に設けられ、ケース蓋はカバーとして環状放熱座とファンの外部に設けられ、そして基板と結合し、基板に発光部材が設けられた表面は外へ向くように形成される。ケース蓋の上に複数個の通気溝が設けられるため、ファンが回転する時に気流を駆動し、そしてそれぞれの通気溝を経由してケース蓋の内部に進入し、さらに環状放熱座のそれぞれの放熱フィンの周辺を通過した後、再び基板のそれぞれの気孔を経由して吹き出すことにより、それぞれの発光部材に対して放熱を行うという目的を達成することができるようにしたものがある。
【先行技術文献】
【特許文献】
【０００３】
【特許文献１】中華民国公告第Ｍ３５９６４４号
【発明の概要】
【発明が解決しようとする課題】
【０００４】
従来の埋込み型の灯具においては、灯具は軽量鉄骨または木造装飾の天井板に埋設され、そしてそのケース蓋は天井板の上方に埋め込まれ、基板に発光部材が設けられた表面だけが天井板の表面から露出するように形成されるため、従来の構造のケース蓋のそれぞれの通気溝は天井板の上方に位置するように形成されている。しかし、天井板の上方と建物そのもののセメント製の床の間の空間は一般的に密閉された空間からなるため、その密閉空間は外部の空気と循環でき難い。またその密閉空間には他にその他の物品（例えば管路、線路または断熱材）が設けられるため、気流の流通の効果と放熱効果に影響を及ぼしてしまうという問題点があった。
【０００５】
上述したように、従来の構造では放熱効果が悪く、そして環状放熱座には熱が溜まり易く、しかもそれぞれの発光部材から生じる熱量をスムーズに排出することができないため、それぞれの発光部材とそのチップが長時間高温の環境に置かれると、その使用寿命に惡影響が生じてしまうという問題点があった。さらに、それぞれの発光部材のチップが熱くなり過ぎると、発光減衰が生じるため、それぞれの発光部材の発光効果に影響を及ぼしてしまうという問題点があった。このように、上記のような従来の灯具をさらに改良しなければならないものであった。
【０００６】
本発明はこのような問題点に鑑みて発明されたものであって、その主な目的とするところは、放熱効果を高めることができる灯具を提供することである。
【０００７】
本発明の第二の目的は、使用寿命を延ばすことができる灯具を提供することである。
【０００８】
本発明の第三の目的は、発光減衰を避けることができるとともに、発光効果に影響を及ぼさない灯具を提供する。
【課題を解決するための手段】
【０００９】
上記目的を達成するために、本発明による灯具は、以下のようになるものである。すなわち、
一個の外カバー、一個の内ケース、一個のファン、一個の放熱器および一個の発光部材を有する。外カバーの一端には一個の第一開口が含まれ、そして第一開口から一個の第一収容室が凹むように形成される。内ケースの一端には一個の第二開口が含まれ、そして第二開口から一個の第二収容室が凹むように形成される。内ケースは第一収容室の内に設けられ、第二開口と第一開口は同じ方向に向くように形成され、そして外カバーと内ケースの間には隙間が形成されることにより、第一収容室の内において一個の気流通路が形成される。内ケースには他に一個の通孔が設けられる。通孔は第一収容室の内の気流通路および第二収容室と連通するように形成される。ファンは通孔に隣接する場所に設けられる。ファンには二個の気流流通側が含まれ、二個の気流流通側は気流の吸い込みと吹き出しをするのに用いられ、そして気流は通孔を通過するように形成される。放熱器には一個の底板が含まれ、底板の一方の面はファンに面するように形成される。発光部材は底板のもう一方の面に設けられる。
【００１０】
また、本発明による灯具は、外カバーと内ケースの間には区切り部材が設けられ、区切り部材は間隔をもって外カバーと内ケースの間に支持されることにより、気流通路が形成することもできる。また、第二開口の内径は第一開口より小さく、第二開口と第一開口は位置を合わせるように形成され、そして第二開口は第一開口の範囲内に位置するように形成することもできる。また、二個の気流流通側のその内の一個は気流通路と連接し、そしてもう一個は第二収容室と連接するように形成することもできる。また、放熱器は第二収容室の内に設けられ、そして放熱器の底板はファンが第二収容室と連接する気流流通側に面するように形成することもできる。また、内ケースには他に複数個の通孔と一個の導風カバーが設けられ、導風カバーは円盤体からなり、導風カバーにはファンを収容するための組立孔が設けられ、導風カバーの外周縁は内ケースに結合され、そしてそれぞれの通孔は導風カバーが被覆することができる範囲内に位置するように形成することもできる。また、第一開口の周縁から外へ向かって延伸するように一個の第一フランジが含まれ、第二開口の周縁から外へ向かって延伸するように一個の第二フランジが含まれ、第一フランジと第二フランジの間には一個の通気口が形成されることもできる。また、放熱器の底板が第二収容室と連接する気流流通側に面する面には複数個の放熱フィンが設けられることもできる。また、発光部材には一個の基板と複数個の発光体が含まれ、それぞれの発光体は基板のその内の一個の面に設けられ、基板のもう一個の面は放熱器の底板に設けることもできる。また、内ケースの第二開口には一個のカバー板が設けられ、カバー板には複数個の貫穿孔が設けられることもできる。また、カバー板が発光部材に面する表面には阻隔部が設けられ、それぞれの貫穿孔は阻隔部が囲んだ範囲の外に位置するように形成され、阻隔部は放熱器の底板と接触するように形成され、発光部材は阻隔部が囲んだ範囲の内に位置するように形成されることもできる。また、阻隔部は環状壁からなるように形成することもできる。また、それぞれの貫穿孔はカバー板の周辺に位置するように形成することもできる。また、第二開口の周縁から外へ向かって延伸するように一個の第二フランジが含まれ、第二フランジの外周は第一開口の端縁と互いに結合し、そして外カバーの外表面に第一開口に隣接する場所には複数個の通気孔が設けられることもできる。また、第一開口の周縁から外へ向かって延伸するように一個の第一フランジが含まれ、第二開口の周縁から外へ向かって延伸するように一個の第二フランジが含まれ、そして第一フランジと第二フランジは互いに貼接し、第二フランジは第一開口を封止するように形成することもできる。また、区切り部材は一個の止め壁からなり、止め壁によって気流通路は一個の第一通路と一個の第二通路に区画することもできる。また、通孔は第一通路と第二収容室を連通し、そして内ケースには他に複数個の貫穿溝が設けられ、それぞれの貫穿溝は第二通路と第二収容室を連通するように形成することもできる。また、第二フランジには複数個の第一風孔と複数個の第二風孔が設けられ、それぞれの第一風孔は第一通路と連接し、それぞれの第二風孔は第二通路と連接するように形成することもできる。また、第二収容室の内に一個の阻隔板が設けられ、阻隔板によって第二収容室は一個の上収容室と一個の下収容室に区画され、そして通孔とそれぞれの貫穿溝は上収容室と連通するように形成することもできる。また、阻隔板には一個の装着孔が含まれ、発光部材は装着孔の中に設けられ、そして下収容室に面するように形成することもできる。また、第二開口には一個のカバー板が設けられることもできる。
【発明の効果】
【００１１】
本発明の灯具によれば、放熱効果を高めることができるという利点がある。
【００１２】
本発明の灯具によれば、使用寿命を延ばすことができるという利点がある。
【００１３】
本発明の灯具によれば、発光減衰を避けることができるとともに、発光効果に影響を及ぼさないという利点がある。
【図面の簡単な説明】
【００１４】
【図１】図１は、本発明の実施例１の灯具の分解斜視図である。
【図２】図２は、本発明の実施例１の灯具の組み立てられた状態の断面図である。
【図３】図３は、本発明の実施例２の灯具の組み立てられた状態の断面図である。
【図４】図４は、本発明の実施例３の灯具の分解斜視図である。
【図５】図５は、本発明の実施例３の灯具の組み立てられた状態の断面図である。
【図６】図６は、本発明の実施例４の灯具の組み立てられた状態の断面図である。
【図７】図７は、本発明の実施例５の灯具の分解斜視図である。
【図８】図８は、本発明の実施例５の灯具の組み立てられた状態の断面図である。
【発明を実施するための形態】
【００１５】
本発明の実施の形態について、以下、図面を参照して説明する。
【実施例１】
【００１６】
図１は本発明の実施例１による灯具の分解斜視図で、図２は本発明の実施例１の灯具の組み立てられた状態の断面図である。図１、２を参照すると、本発明の実施例１の灯具には一個の外カバー１、一個の内ケース２、一個のファン３、一個の放熱器４および一個の発光部材５が含まれる。その内に、内ケース２は外カバー１の内に設けられ、そして外カバー１と内ケース２の間には気流通路Ａが形成される。ファン３は内ケース２に隣接する一個の通孔２４に設けられる。放熱器４と発光部材５は内ケース２の内に設けられる。ファン３が回転する時、気流を駆動して通孔２４を経由し、そして気流通路Ａと内ケース２の内部の間において流通することにより、発光部材５から生じる熱エネルギーを拡散することができる。
【００１７】
外カバー１の一端には一個の第一開口１２が含まれ、そして第一開口１２から一個の第一収容室１１が凹むように形成され、第一開口１２の周縁から外へ向かって延伸するように一個の第一フランジ１３が形成される。
【００１８】
内ケース２の一端には一個の第二開口２２が含まれ、そして第二開口２２から一個の第二収容室２１が凹むように形成され、第二開口２２の周縁から外へ向かって延伸するように一個の第二フランジ２３が形成される。その内に、内ケース２の外径は好ましくは外カバー１の第一収容室１１の内径より小さくなるように形成され、第二開口２２の形状は好ましくは第一開口１２の形状と同じになるように形成され、そして第二開口２２の内径は第一開口１２の内径より小さくなるように形成される。内ケース２が外カバー１の第一収容室１１の中に設けられる時、第二開口２２は第一開口１２の範囲の中に位置するように形成される。内ケース２には他に一個の通孔２４が設けられる。通孔２４は内ケース２の外表面と第二収容室２１の内壁面を貫穿することにより、第一収容室１１と第二収容室２１を連通するように形成される。
【００１９】
その他に、外カバー１と内ケース２の間に区切り部材１４が設けられる。区切り部材１４はリブ、支持柱または止め壁などの突出した棒状、柱状、塊状または片状の形式からなることができ、そして区切り部材１４を第一収容室１１の内壁の内に設けることができ、また内ケース２の外表面に設けることもできる。外カバー１と内ケース２を組み立てる時、区切り部材１４によって間隔をもってその間を支持することにより、隙間を形成することができる。本実施例において、区切り部材１４として選択的に第一収容室１１の内周壁に複数個のリブを設け、そしてそれぞれのリブは内ケース２の外表面に当接されることにより、間隔をもって外カバー１と内ケース２の間を支持して隙間が形成される。
【００２０】
ファン３は好ましくは内ケース２が通孔２４に隣接する場所に設けられることにより、気流を駆動して通孔２４を通過する。また、ファン３には二個の気流流通側が含まれ、二個の気流流通側は一個の風進入側３１と一個の風排出側３２からなる。
【００２１】
放熱器４は好ましくは高い伝熱性を有する材質により製造され、さらに放熱器４には一個の底板４１が含まれ、底板４１のその内の一方の面には複数個の放熱フィン４２が設けられる。
【００２２】
発光部材５には一個の基板５１と複数個の発光体５２が含まれ、それぞれの発光体５２は好ましくは選択的に発光ダイオードからなり、そしてそれぞれの発光体５２は基板５１の一方の面に設けられる。
【００２３】
再び図１、２図を参照すると、本発明の実施例１の灯具を組み立てる時、内ケース２は外カバー１の第一収容室１１の内に設けられ、そして内ケース２の第二開口２２と外カバー１の第一開口１２を同じ方向に向け、さらに第二開口２２を第一開口１２の範囲の中に位置させる。外カバー１と内ケース２の間は複数個のリブ形式の区切り部材１４によって支持されて隙間が形成されることにより、一個の気流通路Ａが形成される。そして第一フランジ１３と第二フランジ２３の間も区切り部材１４によって支持されることにより、一個の通気口Ｂが形成されるため、灯具以外の外部空気は通気口Ｂを経由して灯具内部の気流通路Ａと互いに連通するように形成される。
【００２４】
ファン３は内ケース２が通孔２４に隣接する場所に設けられ、または直接通孔２４の中に設けることもできる。ファン３のその内の一個の気流流通側は気流通路Ａと連接し、そしてもう一個の気流流通側は第二収容室２１と連接するように形成されることにより、気流は通孔２４を経由して気流通路Ａと第二収容室２１の間において流通するように形成される。本実施例において、ファン３は内ケース２の内表面が通孔２４に隣接する場所に設けられ、そして選択的に風進入側３１をもって気流通路Ａと連接し、風排出側３２をもって第二収容室２１と連接することにより、気流は通気口Ｂから吸入され、そして気流通路Ａと通孔２４を経由して第二収容室２１に流れるように形成される。
【００２５】
放熱器４は第二収容室２１の内に設けられ、そして放熱器４の底板４１に放熱フィン４２が設けられた面は好ましくはファン３の風排出側３２に面するように形成される。その他に、放熱器４のそれぞれの放熱フィン４２は均一に底板４１に分布され、または本実施例に示されるように、それぞれの放熱フィン４２は底板４１の外周を囲むように設けられ、そしてそれぞれの放熱フィン４２の間には組立空間が形成され、上記組立空間にファン３を設けることができる。
【００２６】
発光部材５の基板５１は放熱器４の底板４１の放熱フィン４２が設けられていないもう一個の面に設けられ、そしてそれぞれの発光体５２は第二開口２２に面するように形成される。また、内ケース２の第二開口２２には他に一個のカバー板２５が設けられ、カバー板２５は好ましくは透明または不透明の光伝送可能な板体からなり、そしてカバー板２５には複数個の貫穿孔２５１が設けられ、それぞれの貫穿孔２５１は好ましくはカバー板２５の周辺に位置するように形成される。
【００２７】
再び図２を参照すると、本発明の実施例１の灯具を実施する時、外カバー１は天井板９の上方に埋め込まれ、外カバー１の第一フランジ１３は天井板９の表面に貼接するように形成される。ファン３が回転する時、気流は通孔２４を経由して気流通路Ａと第二収容室２１の間において流通すると同時に、気流は放熱器４の周辺を通過し、補助的に発光部材５から生じる熱エネルギーを拡散することができる。そして、本発明においてはファン３の正方向または反対方向への回転の方向を制御することにより、気流の流通の方向を変えることができる。例えば、ファン３が正方向へ回転する時、気流は通気口Ｂと気流通路Ａから吸入され、そして通孔２４を経由して第二収容室２１の放熱器４の周辺に向かって流れ、再びカバー板２５のそれぞれの貫穿孔２５１から排出される。それに反して、ファン３が反対方向へ回転する時、気流はカバー板２５の貫穿孔２５１からそれぞれ吸入され、そして第二収容室２１の放熱器４の周辺を通過した後、順序よく通孔２４を経由して気流通路Ａと通気口Ｂから排出されることにより、補助的に発光部材５から生じる熱エネルギーを拡散することができる。
【００２８】
しかし、気流の流通方向は何れの方向であっても、本発明の通気口Ｂとそれぞれの貫穿孔２５１は全て天井板９の表面から露出しているため、外部空気とスムースに循環することができる。また、内ケース２の第二フランジ２３は通気口Ｂとそれぞれの貫穿孔２５１の間に阻隔されることにより、灯具から放出される熱気が直ちに吸引されて灯具の中に進入するのを避けることができるため、よりよい気流の流通効果と放熱効果を提供することができる。
【実施例２】
【００２９】
図３は本発明の実施例２の灯具の組み立てられた状態の断面図である。図３を参照すると、実施例２の灯具にも一個の外カバー１、一個の内ケース２、一個のファン３、一個の放熱器４および一個の発光部材５が含まれる。その内に、内ケース２の第二開口２２にも一個のカバー板２５’が設けられる。
【００３０】
上述した実施例１と比較して、実施例２においてはカバー板２５’が発光部材５に面する表面にはさらに阻隔部２５２’が設けられる。阻隔部２５２’は好ましくは一個の環状壁からなり、そして貫穿孔２５１’は阻隔部２５２’が囲んだ範囲の外にそれぞれ位置するように形成される。また、カバー板２５’が内ケース２の第二開口２２に組み立てられる時、阻隔部２５２’の上端縁は放熱器４の基板４１と接触し、そして発光部材５は阻隔部２５２’が囲んだ範囲の内に位置するように形成される。
【００３１】
そのため、ファン３が正方向へ回転する時、気流は通気口Ｂと気流通路Ａから吸入され、そして通孔２４を経由して第二収容室２１の放熱器４の周辺に向かって流れ、再びカバー板２５’のそれぞれの貫穿孔２５１’から排出される。ファン３が反対方向へ回転する時、気流はカバー板２５’のそれぞれの貫穿孔２５１’から吸入され、そして第二収容室２１の放熱器４の周辺を通過した後、順序よく通孔２４、気流通路Ａと通気口Ｂを経由して排出される。
【００３２】
しかし、気流の流通の方向は何れの方向であっても、本発明の阻隔部２５２’により、発光部材５の発光体５２またはそのチップが外部の空気と接触するのを阻隔することができるため、塵が積もるのを避けることができる。
【実施例３】
【００３３】
図４は本発明の実施例３の灯具の分解斜視図で、図５は本発明の実施例３の灯具の組み立てられた状態の断面図である。図４を参照すると、本発明の実施例３の灯具にも一個の外カバー１’、一個の内ケース６、一個のファン３’、一個の放熱器４’および一個の発光部材５が含まれる。
【００３４】
上述した実施例１と比較して、実施例３においては内ケース６の上部には複数個の通孔６４が設けられ、ファン３’はそれぞれの通孔６４に隣接する場所に設けられる。さらにファン３’は好ましくはそれぞれの通孔６４の間に設けられることにより、気流はそれぞれの通孔６４を経由して気流通路Ａと第二収容室６１の間において流通するように形成される。内ケース６には他に一個の導風カバー６５が設けられ、導風カバー６５は円盤体からなり、導風カバー６５の中央にはファン３’を収容するための組立孔６５１が設けられ、導風カバー６５の外周縁は円弧状かつ外へ延伸するように形成されることにより、ファン３’の風の進入と排出がさらにスムースになる。導風カバー６５の外周縁は内ケース６に結合され、そしてそれぞれの通孔６４は導風カバー６５が内ケース６に結合される時に被覆することができる範囲内に位置するように形成される。
【００３５】
その他に、実施例３の外カバー１’と内ケース６の間にも区切り部材６６が設けられる。区切り部材６６は選択的に内ケース６の第二フランジ６３において複数個の支持柱を設けてなるもので、そしてそれぞれの支持柱は外カバー１’の第一フランジ１３’に当接されるため、外カバー１’と内ケース６の間は間隔をもって支持されることにより、一個の隙間が形成される。
【００３６】
再び図４、５を参照すると、本発明の実施例３の灯具を組み立てる時、内ケース６も外カバー１’の第一収容室１１’の内に設けられ、そして内ケース６の第二開口６２と外カバー１’の第一開口１２’を同じ方向に向け、さらに第二開口６２を第一開口１２’の範囲の中に位置するように形成させる。外カバー１’と内ケース６の間は複数個の支持柱の形式の区切り部材６６によって支持されて隙間が形成されることにより、一個の気流通路Ａが形成される。そして第一フランジ１３’と第二フランジ６３の間も区切り部材６６により、一個の通気口Ｂが形成される。
【００３７】
ファン３’は導風カバー６５の上部に設けられ、放熱器４’は内ケース６の上に設けられ、そして放熱器４’の底板４１’に放熱フィン４２’が設けられる面は好ましくはファン３’に面するように形成される。発光部材５の基板５１は放熱器４’の底板４１’の放熱フィン４２’が設けられていないもう一個の面に設けられ、そしてそれぞれの発光体５２は第二開口６２に面するように形成される。
【００３８】
再び図５を参照すると、本発明の実施例３の灯具を実施する時、外カバー１も天井板９の上方に埋め込まれ、外カバー１’の第一フランジ１３’は天井板９の表面に貼接するように設けられる。ファン３が回転する時、同様に気流は通孔６４を経由して気流通路Ａと第二収容室２１の間において流通すると同時に、気流は放熱器４’の周辺を通過し、補助的に発光部材５から生じる熱エネルギーを拡散することができる。そのため、実施例３において、よりよい気流の流通効果と放熱効果を提供することができるとともに、ファン３’の風の進入と排出がさらにスムースになる。
【実施例４】
【００３９】
図６は本発明の実施例４の灯具の組み立てられた状態の断面図である。図６を参照すると、本発明の実施例４の灯具にも一個の外カバー１”、一個の内ケース２’、一個のファン３’、一個の放熱器４’および一個の発光部材５が含まれる。上述した実施例３と比較して、実施例４の内ケース２’の第二開口２１’の周縁にも外へ向かって延伸するように一個の第二フランジ２２’が含まれる。しかし、第二フランジ２２’の外周縁は外カバー１”の第一開口１１”の端縁に結合されることにより、外カバー１”の第一開口１１”を封止する。外カバー１”と内ケース２’の間にも同様に隙間が形成されて一個の気流通路Ａが形成され、さらに外カバー１”の外表面が第一開口１１”隣接する場所には複数個の通気孔１２”が設けられる。
【００４０】
本発明の実施例４の灯具を実施する時、外カバー１”も天井板９の上方に埋め込まれ、外カバー１”の通気孔１２”が設けられる部分は天井板９の表面から露出するように形成される。ファン３’が回転する時、気流はそれぞれの通気孔１２”と気流通路Ａを経由して吸入され、そして放熱器４’の周辺を通過した後、再びそれぞれの通孔２３’を経由して吹き出されることにより、補助的に発光部材５から生じる熱エネルギーを吹き散らすことができる。また、実施例４の第一開口１１”は第二フランジ２２’により封止されるため、よりよい全体の美観的な効果を獲得することができる。
【実施例５】
【００４１】
図７は本発明の実施例５の灯具の分解斜視図で、図８は本発明の実施例５の灯具の組み立てられた状態の断面図である。図７、８を参照すると、本発明の実施例５の灯具にも一個の外カバー７、一個の内ケース８、一個のファン３、一個の放熱器４および一個の発光部材５が含まれる。上述した実施例１と比較して、実施例５の外カバー７の第一フランジ７３と内ケース８の第二フランジ８３は互いに貼接するように形成され、そして第二フランジ８３は外カバー７の第一開口７２を封止するように形成される。
【００４２】
外カバー７と内ケース８の間には区切り部材７４、８５が設けられ、区切り部材７４、８５は全て外カバー７の第一収容室７１の内周壁と内ケース８の外表面においてそれぞれ止め壁を設けてなるもので、二個の止め壁はそれぞれ外カバー７の第一収容室７１の内周壁と内ケース８の外表面に当接されるため、間隔をもって外カバー７と内ケース８の間を支持することによって隙間が形成され、そして一個の気流通路Ａが形成される。
【００４３】
本実施例において、止め壁の形式からなる二個の区切り部材７４、８５は互いに貼接するように形成され、そして気流通路Ａは一個の第一通路Ａ１と一個の第二通路Ａ２に区画される。その内に、内ケース８にも一個の通孔８４が含まれ、通孔８４は第一通路Ａ１と連接し、第一通路Ａ１は通孔８４を経由して第二収容室８１まで連通される。内ケース８には他に複数個の貫穿溝８６が設けられ、それぞれの貫穿溝８６は第二通路Ａ２と連接し、そして第二通路Ａ２はそれぞれの貫穿溝８６を経由して第二収容室８１まで連通される。また、内ケース８の第二フランジ８３には複数個の第一風孔８７ａと複数個の第二風孔８７ｂが設けられ、それぞれの第一風孔８７ａは第一通路Ａ１と連接し、そしてそれぞれ第二風孔８７ｂは第二通路Ａ２と連接する。
【００４４】
ファン３が回転する時、気流はそれぞれの第一風孔８７ａを経由して吸入され、そして順序よく第一通路Ａ１、通孔８４、第二収容室８１、それぞれの貫穿溝８６と第二通路Ａ２を通過した後、再びそれぞれの第二風孔８７ｂから引き出される。または、ファン３が反対方向へ回転するように制御した時、気流は反対方向からそれぞれの第二風孔８７ｂを経由して吸入され、そして順序よく第二通路Ａ２、それぞれの貫穿溝８６、第二収容室８１、通孔８４と第一通路Ａ１を通過した後、再びそれぞれの第一風孔８７ａから吹き出されることにより、発光部材５に対して放熱を行うことができる。
【００４５】
それぞれの第一風孔８７ａと第二風孔８７ｂも選択的に外カバー７の外表面が第一開口７２に隣接する場所に設けられ、そしてそれぞれの第一風孔８７ａも第一通路Ａ１と連接し、それぞれの第二風孔８７Ｂも第二通路Ａ２と連接することにより、同様にファン３を利用して気流を前述と同じ径路で流通することができる。
【００４６】
また、内ケース８の第二収容室８１の内に一個の阻隔板８８が増設され、阻隔板８８によって第二収容室８１は一個の上収容室８１ａと一個の下収容室８１ｂに区画され、そして通孔８４とそれぞれの貫穿溝８６は上収容室８１ａと連通するように形成される。阻隔板８８には一個の装着孔８８１が含まれ、発光部材５のそれぞれの発光体５２は好ましくは装着孔８８１を経由して下収容室８１ｂに面するように形成される。内ケース８の第二開口８２には他に一個のカバー板８９が設けられる。カバー板８９は好ましくは透明または不透明の光伝送可能な板体からなり、そのために発光部材５の発光体５２またはそのチップは外部の空気と接触することがないため、塵が積もるのを避けることができる。
【００４７】
上述したように、本発明の灯具の外カバーが天井板の上方に埋め込まれた時、その通気口とそれぞれの貫穿孔は全て天井板の底面に位置するように形成されることにより、外部の空気とスムースに循環することができるため、気流流通の効果と放熱効果を高めることができる。
【００４８】
本発明の灯具によれば、気流流通の効果と放熱効果がよくなるため、それぞれの発光部材から生じる熱エネルギーをスムースに排除することができ、さらに灯具の使用寿命を延ばすことができる。
【００４９】
本発明の灯具によれば、それぞれの発光部材から生じる熱エネルギーをスムースに排除することができるため、それぞれの発光部材のチップが熱過ぎることによって光減衰が生じるのを避けることができ、そして発光部材の発光の効果に影響を及ぼしてしまうのを避けることができる。
【００５０】
本発明は、その精神とび必須の特徴事項から逸脱することなく他のやり方で実施することができる。従って、本明細書に記載した好ましい実施例は例示のなものであり、限定のなものではない。
【符号の説明】
【００５１】
１    外カバー
１１    第一収容室
１２    第一開口
１３    第一フランジ
１４    区切り部材
１’    外カバー
１１’    第一収容室
１２’    第一開口
１３’    第一フランジ
１”    外カバー
１１”    第一開口
１２”    通気孔
２    内ケース
２１    第二収容室
２２    第二開口
２３    第二フランジ
２４    通孔
２５    カバー板
２５１    貫穿孔
２５’    カバー板
２５１’    貫穿孔
２５２’    阻隔部
２’    内ケース
２１’    第二開口
２２’    第二フランジ
２３’    通孔
３    ファン
３１    風進入側
３２    風排出側
３’    ファン
４    放熱器
４１    底板
４２    放熱フィン
４’    放熱器
４１’    底板
４２’    放熱フィン
５    発光部材
５１    基板
５２    発光体
６    内ケース
６１    第二収容室
６２    第二開口
６３    第二フランジ
６４    通孔
６５    導風カバー
６５１    組立孔
６６    区切り部材
７    外カバー
７１    第一収容室
７２    第一開口
７３    第一フランジ
７４    区切り部材
８    内ケース
８１    第二収容室
８１ａ    上収容室
８１ｂ    下収容室
８２    第二開口
８３    第二フランジ
８４    通孔
８５    区切り部材
８６    貫穿溝
８７ａ    第一風孔
８７ｂ    第二風孔
８８    阻隔板
８８１    装着孔
８９    カバー板
９    天井板
Ａ    気流通路
Ａ１    第一通路
Ａ２    第二通路
Ｂ    通気口
【図１】
2011086621.tif 000003
【図２】
2011086621.tif 000004
【図３】
2011086621.tif 000005
【図４】
2011086621.tif 000006
【図５】
2011086621.tif 000007
【図６】
2011086621.tif 000008
【図７】
2011086621.tif 000009
【図８】
2011086621.tif 000010